(57)【特許請求の範囲】
【請求項１】
識別情報があるサイズの多数の部分識別情報に分けられ、誤り訂正符号化された再生対象データのブロック中に誤り訂正可能に分散して重畳され、前記識別情報が前記再生対象データのブロック中に埋め込まれたオリジナルデータが記録されていることを特徴とする記録媒体。
【請求項２】
前記識別情報は、記録領域中におけるコンテンツデータの制御情報の記録された領域に格納されるデータ部分に重畳されることを特徴とした請求項１に記載の記録媒体。
【請求項３】
前記複数の部分識別情報が重畳されている重畳位置が重畳位置指定情報によって指定され、当該重畳位置指定情報が前記オリジナルデータに付加されて記録されることを特徴とする請求項１又は請求項２に記載の記録媒体。
【請求項４】
識別情報があるサイズの多数の部分識別情報に分けられ、誤り訂正符号化された再生対象データのブロック中に誤り訂正可能に分散して重畳され、前記識別情報が前記再生対象データのブロック中に埋め込まれたオリジナルデータが記録され、前記複数の部分識別情報が重畳された重畳位置が重畳位置指定情報によって指定され、当該重畳位置指定情報が前記オリジナルデータに付加されて記録されている記録媒体において、
重畳位置指定情報は、初期値情報、前記部分識別情報の重畳位置を示す各重畳位置情報及び当該重畳位置情報の位置を取得するための各位置情報からなり、この重畳位置情報の位置を取得するための最初の位置情報は、前記初期値情報を所定の関数で変換した結果の位置、あるいは変換した結果の位置に指し示される位置に記録され、二番目以降の前記位置情報は、前記所定の関数の変換結果により得られたいずれかの位置のうち前記位置情報が格納されない側の一方の位置に格納された情報を、さらに前記所定の関数で変換したときの結果の位置の格納情報、あるいは変換した結果の位置に指し示される位置の格納情報を順次変換することで得られる位置の他方の位置に記録されることを特徴とする記録媒体。
【請求項５】
前記再生対象データは、誤り訂正符号化される前に前記識別情報を鍵としてスクランブル又は暗号がかけられていることを特徴とする請求項１乃至４のうちいずれか１項記載の記録媒体。
【請求項６】
識別情報をあるサイズの多数の部分識別情報に分けて誤り訂正符号化された再生対象データのブロック中に分散して重畳し、前記識別情報を前記再生対象データのブロック中に埋め込んだオリジナルデータを記録媒体に記録することを特徴とする記録媒体作成装置。
【請求項７】
前記複数の部分識別情報が重畳されている重畳位置を指定する重畳位置指定情報を前記オリジナルデータに付加して記録することを特徴とする請求項６に記載の記録媒体作成装置。
【請求項８】
請求項１乃至４に記載された記録媒体のいずれかから読み出したオリジナルデータが誤り訂正される前に、当該読出情報から識別情報を抽出する識別情報復号手段と、前記識別情報復号手段に抽出された識別情報に基づき前記記録媒体に格納されるデータがオリジナルデータか否か判定し、その判定結果を出力する判定手段と、を備えたことを特徴とするデータ再生装置。
【発明の詳細な説明】
【０００１】
【発明の属する技術分野】
この発明はオリジナルデータ（なお、本明細書ではオリジナルデータというときは、記録媒体への格納対象となるオリジナルなデータをいう場合と、記録媒体からの再生対象となるオリジナルなデータという場合がある）の不正コピーを防止可能とした部分に特徴のある記録媒体、記録媒体作成装置、データ再生装置及びプログラムを記録したコンピュータ読み取り可能な記録媒体に関する。
【０００２】
【従来の技術】
近年マルチメディアデータ等のディジタルデータを格納する種々の記録媒体が開発されている。このディジタル記録媒体からデータコピーを取ると、オリジナルデータと全く同一のデータコピーが実現されてしまう。したがって、著作権を保護し、ひいては著作権者から各種コンテンツを提供してもらってかかる媒体を用いた技術や市場を発展させるためにも、不正コピーの防止を確実に行うことが重要となっている。
【０００３】
例えば従来、ＤＡＴ（Ｄｉｇｉｔａｌ  Ａｕｄｉｏ  Ｔａｐｅ）やＭＤ（Ｍｉｎｉ  Ｄｉｓｃ）のようなディジタル記録媒体においては、コピーが完全な許された（コピーフリー）の一般的な媒体の他、オリジナル媒体からであれば一度限り（１世代）のディジタル・コピーが可能（許可）な技術が提供されている。
【０００４】
この技術はＣＧＭＳ（Ｃｏｐｙ  Ｇｅｎｅｒａｔｉｏｎ  Ｍａｎａｇｅｍｅｎｔ  Ｓｙｓｔｅｍ）やＳＣＭＡ（Ｓｉｎｇｌｅ  Ｃｏｐｙ  Ｍａｎａｇｅｍｅｎｔ  Ｓｙｓｔｅｍ）と呼ばれるものであり、１世代コピーのみの許された媒体からのコピーによって作成された媒体からの再度（２世代目）のコピーを作成することはできない仕組みになっている。これにより、不正コピーが防止される。
ＣＧＭＳやＳＣＭＡでは、コピーされた媒体であるか否か（次世代のコピーが可能であるか否か）を、２ビットのフラグ情報で示すようになっている。
【０００５】
【発明が解決しようとする課題】
しかし、このようなＣＧＭＳやＳＣＭＳでは、そのフラグ情報がコンテンツ本体とともに伝送される際に、その伝送途中でこれを改良することが比較的容易である。したがって、このフラグ情報の改良によって不正コピーが行われることがあり、不正コピーされた、一般に海賊版と呼ばれる媒体が流通し得るという問題がある。
【０００６】
本発明は、このような実情を考慮してなされたもので、その記録されたディジタルデータが、オリジナルなデータであるが、コピーされたデータであるかを判定することができ、ひいては不正なデータコピーを防止することができる記録媒体、記録媒体作成装置、データ再生装置及びプログラムを記録したコンピュータ読み取り可能な記録媒体を提供することを目的とする。
【０００７】
【課題を解決するための手段】
上記課題を解決するために、この発明によれば、識別情報があるサイズの多数の部分識別情報に分けられ、誤り訂正符号化された再生対象データのブロック中に誤り訂正可能に分散して重畳され、前記識別情報が前記再生対象データのブロック中に埋め込まれたオリジナルデータが記録されていることを特徴とする記録媒体が提供される。
【０００８】
本発明ではこのようなオリジナルデータを格納するため、そのオリジナルデータを取り出して再生したときには、識別情報が誤り訂正処理により消失し、その再生データはオリジナルデータと異なるものとなる。すなわち識別情報をあえて誤りデータの形でオリジナルデータに埋め込んだのである。なお、この重畳される識別情報は誤り訂正処理により確実に除去される程度の頻度でなければならない。
【０００９】
また、識別情報を誤り訂正処理する前に取り出せば、記録媒体がオリジナルデータを格納するものか否かを判定できる。したがって、その記録されたディジタルデータが、オリジナルなデータであるか、コピーされたデータであるかを判定することができ、ひいては不正なデータコピーを防止することができる記録媒体が提供される。
【００１０】
また、識別情報はあるサイズの多数の部分識別情報からなり、この部分識別情報を誤り訂正符号化された再生対象データの複数か所に別けて重畳されている。
【００１１】
本発明では識別情報をこのようなものとしたため、識別情報を十分に長いものとすることができ、データ信頼性を向上させることができる。さらに、分散してオリジナルデータ内に埋め込まれているので、安全性を高めることもできる。
【００１２】
次に、この発明の実施例においては、識別情報は、記録領域中におけるコンテンツデータの制御情報の記録された領域に格納されるデータ部分に重畳されている。
【００１３】
これにより、記録媒体製造後に、第三者によって識別情報に変更が加えられるのを防止できる。次に、この発明の実施例においては、記録媒体には、識別情報の重畳位置を取得するための情報が記録されている。
【００１４】
したがって、識別情報の取り出しを容易かつ確実なものとすることができる。また、この発明によれば、識別情報があるサイズの多数の部分識別情報に分けられ、誤り訂正符号化された再生対象データのブロック中に誤り訂正可能に分散して重畳され、前記識別情報が前記再生対象データのブロック中に埋め込まれたオリジナルデータが記録され、前記複数の部分識別情報が重畳された重畳位置が重畳位置指定情報によって指定され、当該重畳位置指定情報が前記オリジナルデータに付加されて記録されている記録媒体において、
重畳位置指定情報は、初期値情報、前記部分識別情報の重畳位置を示す各重畳位置情報及び当該重畳位置情報の位置を取得するための各位置情報からなり、この重畳位置情報の位置を取得するための最初の位置情報は、前記初期値情報を所定の関数で変換した結果の位置、あるいは変換した結果の位置に指し示される位置に記録され、二番目以降の前記位置情報は、前記所定の関数の変換結果により得られたいずれかの位置のうち前記位置情報が格納されない側の一方の位置に格納された情報を、さらに前記所定の関数で変換したときの結果の位置の格納情報、あるいは変換した結果の位置に指し示される位置の格納情報を順次変換することで得られる位置の他方の位置に記録されることを特徴とする記録媒体が提供される。
【００１５】
本発明はこのような手段を設けたので、同様な作用効果が得られる他、位置情報や重畳位置情報に対する秘匿性を高めることができる。また、この発明の実施例においては、再生対象データは、誤り訂正符号化される前に識別情報を鍵としてスクランブル又は暗号がかけられている。
【００１６】
本発明はこのような手段を設けたので、再生対象データ再生時に識別情報を取り出して、これを鍵としてスクランブル又は暗号を解除できなければ、正常なデータ再生を行うことができない。こうして、再生対象データに対する不正コピーを防止することができる。
【００１７】
次に、この発明によれば、識別情報があるサイズの多数の部分識別情報に分けられ、誤り訂正符号化された再生対象データのブロック中に誤り訂正可能に分散して重畳され、前記識別情報が前記再生対象データのブロック中に埋め込まれたオリジナルデータが記録される記録媒体作成装置であって、前記複数の部分識別情報が重畳された重畳位置が重畳位置指定情報によって指定され、当該重畳位置指定情報が前記オリジナルデータに付加されて記録されている記録媒体作成装置が提供される。
【００１８】
本発明はこのような手段を設けたので、上述したと同様な効果を奏する記録媒体を製造することができる。
【００２１】
この発明の実施例においては、データ再生装置は、読み出したオリジナルデータが誤り訂正される前に、当該読出情報から識別情報を抽出する識別情報復号手段と、識別情報復号手段に抽出された識別情報に基づき記録媒体に格納されるデータがオリジナルデータか否か判定し、その判定結果を出力する判定手段とを備えている。
【００２２】
本発明はこのような手段を設けたので、記録媒体に格納されるデータがオリジナルデータか否か、ひいてはオリジナルな記録媒体であるかを判定でき、その判定結果が出力される。この出力された判定結果を利用すれば、不正コピーの防止やデータコピーの世代管理等を容易に行うことができる。
【００２３】
この発明の実施例においては、記録媒体から識別情報を読み出す場合に、識別情報復号手段は、所定の関数による変換手段と、変換手段により重畳位置情報の位置を取得するための位置情報を連鎖的に取得するとともに、当該位置情報に基づいて重畳位置情報を取得する重畳位置指定手段と、重畳位置情報に基づき、オリジナルデータから識別情報を抽出する識別情報抽出手段とを備えている。
【００２４】
本発明はこのような手段を設けたので、この発明と同様な作用効果が得られる他、位置情報や重畳位置情報に対する秘匿性を高めるとともに、多数の部分識別情報を容易に取り出すことができる。
【００２５】
この発明の実施例においては、識別情報の重畳位置を取得するための情報として、オリジナルデータの一部又は全部に対応するインデックスが記録媒体に格納されている場合に、識別情報復号手段は、識別情報の重畳位置を示す重畳位置情報をインデックスに対応して格納するテーブルと、インデックス及びテーブルに基づいて重畳位置情報を取得する重畳位置指定手段と、重畳位置情報に基づき、オリジナルデータから識別情報を抽出する識別情報抽出手段とを備えたデータ再生装置が提供される。
【００２６】
本発明のデータ再生装置はこのような手段を設けたので、同様な作用効果が得られる他、記録媒体に記録されているのが、インデックスのみであるため、記録媒体を調べただけでは識別情報の重畳位置を容易に知ることができず、識別情報の秘匿性、安全性を高めることができる。
【００３３】
【発明の実施の形態】
以下、本発明の実施の形態について説明する。
（発明の第１の実施の形態）
本実施形態においては、誤り訂正技術を利用してディジタル記録媒体のデータ本体中に識別情報を組み込む方法について説明する。
【００３４】
図１は本発明の第１の実施の形態に係る記録媒体作成装置の主要構成例を示すブロック図である。
同図に示す記録媒体作成装置には、Ａ／Ｄ変換回路１、誤り訂正符号回路２及び識別情報重畳回路３が設けられており、これらは誤り訂正技術を利用した識別情報の組み込み部分に関連する構成部分である。なお、記録媒体製造にかかわる一般的な構成部分については説明を省略する。
【００３５】
ここで作成される記録媒体４は、ＤＶＤ（Ｄｉｇｉｔａｌ  Ｖｉｄｅｏ  Ｄｉｓｃ，Ｄｉｇｉｔａｌ  Ｖｅｒｓａｔｉｌｅ  Ｄｉｓｃ）−ＲＯＭ，ＤＶＤ−ＲＡＭ，ＭＤ，ＣＤ，ＣＤ−ＲＯＭ，ＣＤ−Ｒ等の再生，記録／再生可能な媒体たるディスクであり、文書、音声、静止画、動画像等のマルチメディアデータ等を記録するオリジナルの媒体である。
【００３６】
本実施形態は、このオリジナルの記録媒体４から取り出されたデータを他の記録媒体に記録し直したときには、オリジナル記録媒体のみに格納される識別情報Ｍが消失するように当該オリジナルの記録媒体４を製造するものである。
【００３７】
そのための構成要素としてまず、誤り訂正符号回路２は、コンテンツであるディジタルデータ７を誤り訂正符号化して、記録媒体４に格納されるデータ本体８を生成する。一方、識別情報重畳回路３は、このデータ本体８の一部に識別情報Ｍを埋め込み、当該データを出力するようになっている。
【００３８】
次に、以上のように構成された本実施形態の記録媒体作成装置の動作について説明する。
まず、オリジナル記録媒体４に記録されるべきマルチメディアデータ等のディジタルコンテンツ５やアナログコンテンツ６が用意される。ここでアナログデータの場合には、まず始めにＡ／Ｄ変換回路１において標本化や量子化が施されてディジタルデータ７に変換される。
【００３９】
ディジタルコンテンツ５若しくはＡ／Ｄ変換されたアナログコンテンツ６からなるディジタルデータ７は、伝送路中で発生する誤りを訂正するために、誤り訂正符号化回路２において適切な誤り訂正符号化が行われ、データ本体８が得られる。なお誤り訂正符号化については、例えば「符号理論」今井秀樹著電子情報通信学会に詳しい。
【００４０】
次に誤り訂正符号化されたディジタルデータ（データ本体８）には、識別情報重畳回路３により、その一部のシンボルに識別情報Ｍが重畳される。なお、識別情報Ｍ自体に誤りが加わることが予想される場合には、この埋め込むべき識別情報を予め誤り訂正符号化しておく。このために識別情報が長くなる場合には適切なサイズ（バイト単位等）に分け、夫々を部分識別情報Ｍ１，Ｍ２，．．Ｍｉ，．．，Ｍｎとする。図１に示す識別情報Ｍは、このように予め誤り訂正符号化されたものである。
【００４１】
こうして得られた識別情報重畳済みデータ本体９は、オリジナルデータとして記録媒体４に格納され、ディスク製作が完了する。
したがって、この記録媒体４中の全データ、あるいは一定サイズのデータブロック毎のデータ中の所定位置には、図１に示すように、誤り訂正符号化されたディジタルデータ（データ本体８）の一部に識別情報Ｍ（部分識別情報Ｍ１，．．，Ｍｎ）が埋め込まれる。実際には各部分識別情報Ｍｉは、図に示すようにデータブロック内に分散させて埋め込まれる。この識別情報Ｍが埋め込まれたデータが記録媒体４のオリジナルデータである。
【００４２】
さて、このように作成された記録媒体４からいかにしてコンテンツであるディジタルデータ７が正常に取り出されるのか、また、いかにして識別情報Ｍを取り出し、またオリジナルデータの不正コピーを防止するのかについて説明する。
【００４３】
図２は誤り訂正の概略的な考え方を説明する図である。
図３は誤り訂正処理を利用してオリジナルデータから識別情報Ｍを取り出しつつ、オリジナルデータ自体のコピーを防止する原理を説明する図である。なお、この図２及び図３で示す誤り訂正技術は、説明の都合上極めて簡単化したものであって、実際の誤り訂正技術は、上記文献（「符号理論」今井秀樹著）等に示されるように、より複雑なものである。
【００４４】
まず、図２（ａ）に示すように、データ誤りは、記録媒体からのデータ読出しやデータ送信においてビット反転が起こることにより発生する。このようなビット反転が起こっても正確なデータを再現できるように、データに冗長性を持たせることが誤り訂正を行うための基本的な考え方である（図２（ｂ））。
【００４５】
このために、本来のコンテンツデータに誤り訂正用のデータを加え、多少のビット反転が生じても本来のコンテンツデータを再現できるようにする（例えば図２（ｃ））。その処理が図１に示す誤り訂正符号化回路２における誤り訂正符号化処理である。したがって、誤り訂正符号化処理されたデータに対してデータ誤りが混入した場合、その誤りを含むデータはデータ再生装置内の誤り訂正復号回路によってデータ誤り混入前の誤りのないデータに再生される。
【００４６】
本発明はこの点に着目したものであり、上記誤り訂正技術からすれば、誤りデータと見なされる情報を識別情報Ｍとして記録媒体４に記録しようとするものである。すなわち識別情報重畳回路３は、記録媒体４を再生するデータ再生装置からすれば誤りデータと見なされるような形で識別情報Ｍをデータ本体内に重畳する。この重畳は誤り訂正復号によって十分に誤り訂正できる程度の低頻度でデータ本体８の一部データに埋め込むことで実現させる。したがって、図２（ｄ）に示すように、識別情報Ｍが重畳された部分もＤＶＤプレーヤ等のデータ再生装置によってデータ再生すれば、誤り訂正機能によって、識別情報Ｍが重畳される前のデータ（データ本体８）として再生される。
【００４７】
このようにして作成されたオリジナル記録媒体４の再生（データ出力）について図３を用いて説明する。
オリジナル記録媒体４がＤＶＤ−ＲＡＭドライブやプレーヤ等のデータ再生装置にセットされ、読み出し、データ出力が行われる。
【００４８】
ここで、識別情報Ｍが重畳されていない部分については（図３（ａ））、まず媒体からデータが読み出されるが、このとき読み出しエラーがあれば、その一部のビットが反転する。しかし、この読み出しデータがさらに誤り訂正複号処理１０にかけられることにより、反転した誤りデータは訂正され、本来のデータ本体８と同一データとして出力される。
【００４９】
次に、識別情報Ｍが重畳されている部分の再生において、かつ媒体読み出し時エラーが発生しなかった場合を考える（図３（ｂ−１））。
この場合には、オリジナル記録媒体４のオリジナルデータにデータ誤りの形で予め識別情報Ｍが埋め込まれている。これを読み出し、さらに誤り訂正複号処理１０をかけると、識別情報Ｍは誤りデータとみなされて訂正され、本来のデータ本体８と同一データが出力される。この出力されたデータは本来のコンテンツデータに対応するものである。したがって、データ再生を正常に行われることとなる。しかし、同出力データはオリジナル記録媒体４のオリジナルデータとは同一のものではない。オリジナルデータ内の識別情報Ｍが誤り訂正によって削除されているからである。したがって、この出力データをコピーした場合、コピーデータはオリジナルデータとは異なるものとなる。以降のデータ再生においてはその相違点を利用して不正コピーを防止することができる。なお、識別情報Ｍを取り出しこれを利用する場合には、記録媒体４から読み出し後に誤り訂正を行う前に識別情報抽出を行う。
【００５０】
次に、識別情報Ｍが重畳されている部分の再生において、かつ媒体読み出し時エラーが発生した場合を考える（図３（ｂ−２））。
この場合も、上記各場合（図３（ａ），図３（ｂ−１））と同様に出力データは訂正されてデータ本体８と同一なものが出力される。一方、この場合抽出される識別情報にはデータ誤りが含まれることになる。そこで、この誤りを含む識別情報に対して誤り訂正処理を施せば当初の識別情報Ｍが取り出されることになる。なお、図３の例は説明の都合上識別情報を短いものとしているが、識別情報に誤り訂正処理を施す場合には、この識別情報Ｍは上記したように十分に長いものとなる。
【００５１】
上述したように、本発明の実施の形態に係る記録媒体には、誤り訂正符号化されたデータにオリジナルの記録媒体であることを示す識別情報が、誤りとして重畳されているので、再生時の誤り訂正復号処理以前にその識別情報を抽出することで、オリジナルな記録媒体であるかどうかを判定することができる。
【００５２】
また、データ再生装置において、誤り訂正復号処理が終わった後では、識別情報は誤りとして処理されているため、本来のディジタルデータも正しく復号される。そのため、再生データを別の記録媒体にコピーした場合には、オリジナルデータであることを示す識別情報が欠落しているため、オリジナルの記録媒体とコピーによって製作された記録媒体を明確に区別することが可能となる。
【００５３】
したがって、従来のように再生対象データとともにコピー管理情報を伝送路上に流すことなくなるので、オリジナル媒体とコピーによって製作された媒体の区別が確実にでき、かつ誤り訂正符号化されたデータに識別情報を重畳することは一般に困難であるため、データの不正コピー／不正利用を行うことが非常に困難になる。
【００５４】
さらに、識別情報は部分識別情報からなるので、これを分散してデータ本体８に重畳させることで、識別情報の秘匿性、安全性を高めるとともにそのデータ長さを十分に長いものとすることができる。したがって、例えば抽出された識別情報自体に誤り符号訂正をかけるような構成とすることもでき、識別情報の信頼性を高めることができる。
【００５５】
また、本実施形態の記録媒体作成装置は、識別情報重畳回路を設けたので、このような記録媒体を製造することができる。
（発明の第２の実施の形態）
以下の各実施形態においては、第１の実施形態で重畳される識別情報Ｍの記録媒体４における重畳位置を指定するための仕組みについて説明する。
【００５６】
本実施形態は記録媒体作成時において、識別情報Ｍと別途にその重畳位置指定情報をデータ本体に組み込む記録媒体作成装置並びにそのデータ再生装置について説明する。
【００５７】
図４は本発明の第２の実施の形態に係る記録媒体作成装置の主要構成例を示すブロック図であり、図１と同一部分には同一符号を付してその説明を省略する。
この記録媒体作成装置は、識別情報重畳回路３ｂが識別情報重畳回路３と同様に識別情報Ｍをデータ本体８内に重畳し、さらにこの識別情報Ｍの埋め込まれたデータ本体に識別情報の重畳位置指定情報を付加してオリジナルデータ９ｂを生成するように構成される他、第１の実施形態と同様に構成されている。なお、重畳位置指定情報は、データ本体自体に重畳されるのではなく、別途のデータとして付加されるものである。
【００５８】
このようにして作成されたオリジナルデータ９ｂが格納されることで、記録媒体４ｂが製造される。
一方、図５は本実施形態のデータ再生装置の主要構成例を示すブロック図である。
【００５９】
このデータ再生装置は、ディスク読出部（図示せず）により記録媒体４ｂから読み出したデータＤ１，Ｄ２を復調／誤り訂正復号回路１１によって復調し誤り訂正してデータ出力制御回路１２を介して再生出力する。
【００６０】
ここで、データ出力制御回路１２は、識別情報復号回路１３から出力された識別情報が正当なものではないと、識別情報判定回路１４にて判定されたときには、その判定回路１４からの制御信号に応じて再生出力を停止するものである。
【００６１】
識別情報復号回路１３は、重畳位置指定回路１５と識別情報抽出回路１６とから構成される。
まず重畳位置指定回路１５は、記録媒体４ｂからの重畳位置指定情報に基づき、そのデータブロックにおける識別情報の重畳位置を解読し、識別情報抽出回路１６に対してその重畳位置指定を行う。なお、この重畳位置指定情報は、ディスク読出部（図示せず）によって記録媒体４ｂから読み出され、さらに復調／誤り訂正復号回路１７によって復調し誤り訂正されたものである。
【００６２】
識別情報抽出回路１６は、重畳位置指定されたデータ部分をディスク読出部を介して記録媒体４ｂから読み出し、識別情報Ｍ（あるいは部分識別情報Ｍｉ）を抽出して識別情報判定回路１４に送出する。さらに識別情報が抽出された残りのデータは、図１におけるデータ本体８の一部であるから、これをデータＤ２として復調／誤り訂正復号回路１１に入力する。
【００６３】
次に、以上のように構成された本実施形態の記録媒体作成装置及びデータ再生装置の動作について説明する。
まず、記録媒体４の製作過程について説明する。
【００６４】
図４におけるアナログコンテンツ６若しくはディジタルコンテンツ５からディジタルデータ７が誤り訂正符号化されたデータ本体８となるまでは、第１の実施形態と同様である。
【００６５】
次に、このデータ本体８に対し、識別情報重畳回路３ｂによって重畳位置指定情報に基づく位置に識別情報Ｍが重畳される。なお、この重畳される識別情報Ｍは、後に誤り訂正ができるように十分に長いものであり、かつ部分識別情報Ｍｉに分割される点は第１の実施形態と同様である。また、識別情報Ｍはその信頼性を高めるために同一識別情報が多数重畳される場合がある。
【００６６】
さらに、重畳位置指定情報が識別情報Ｍが重畳されたデータ本体８に付加される。この付加される重畳位置指定情報も他のコンテンツディジタルデータと同様に誤り訂正符号化されている。なお、重畳位置指定情報の付加は識別情報Ｍの重畳前に行われてもよい。また、ディスク製作時の識別情報の重畳手順は、後述する識別情報抽出が正しく動作するように行われる。
【００６７】
こうして識別情報Ｍが重畳されたデータ本体８と、重畳位置指定情報とからなるデータブロックが作成される。このデータブロックはその多数ブロックが１つの記録媒体４ｂに格納されるようにしてもよいし、１ブロックが１つの記録媒体４ｂに対応してもよい。いずれの場合でも、記録媒体４ｂに格納されるべき、上記識別情報重畳回路３ｂで作成されたデータがオリジナルデータ９ｂである。
【００６８】
以下、オリジナルデータ９ｂが媒体に格納されて記録媒体４ｂが完成する。
次に、この記録媒体４ｂからのデータ再生について説明する。
まず、図５に示すようにＤＶＤ等のデイスクからなる記録媒体４ｂがデータ再生装置にセットされる。なお、ＤＶＤでは既に不正コピー防止のための暗号技術が導入されており、これらの技術については、「ＤＶＤ著作保護システム」館林，松崎，石原，福島，映像情報メディア学会技術報告，１９９７，５，２２，ｐｐ，１５−１９，または「ＤＶＤ，パソコンに載る」日経エレクトロニクス、１９９７，８，１８（ｎｏ，６９６），ｐｐ，１１０−１２０、に詳しい。本実施形態では既保護技術の説明は省略する。なお、上記文献に依れば、ＤＶＤでは二種類の暗号化鍵を用いてコンテンツを保護しているが、コンテンツを暗号化するかどうかは本実施形態では特に触れないが、本実施形態は当然これらの既存保護技術と相容れるものとなっている。
【００６９】
セットされたＤＶＤディスクからは、各データブロックにおけるデータ読み出しの最初に重畳位置指定情報が読み出される。この重畳位置指定情報は、復調／誤り訂正復号回路１７において復調、誤り訂正復号処理が行われた上で、重畳位置指定回路１５に渡される。
【００７０】
重畳位置指定回路１５では、受取った重畳位置指定情報を元にして、データ中の識別情報Ｍが重畳されている位置を求める。この重畳位置は識別情報抽出回路１６に引き渡される。
【００７１】
またコンテンツに対応したデータ本体部分の読み出し（データＤ１）が行われ、復調／誤り訂正復号回路１１及びデータ出力制御回路１２を介し、誤り訂正がされつつ再生データが出力される。一方、識別情報Ｍはデータ本体部分に埋め込まれているが、その埋め込み部分が読み出された時は、その読み出しデータは復調／誤り訂正復号回路１１へでなく、識別情報抽出回路１６に引き渡される。これは識別情報抽出回路１６が識別情報Ｍの埋め込み位置を重畳位置指定回路１５から取得していることから実現されるものである。
【００７２】
識別情報Ｍ（一度の読み出しでは部分識別情報Ｍｉ）を含むデータ（Ｄ２＋Ｍ）からは、当該識別情報Ｍが抽出されるとともに、データＤ２が復調／誤り訂正復号回路１１に送出され、データＤ１と同様に再生出力される。
【００７３】
識別情報抽出回路１６では、部分識別情報Ｍｉからなる識別情報Ｍの全体が得られた時点で誤り訂正を行い、その結果（識別情報Ｍ）を識別情報判定回路１４に送出する。なお、識別情報Ｍは本実施形態では後述するように、データブロック読み出し当初に連鎖的に抽出されるものである。
【００７４】
識別情報判定回路１４においては、抽出された識別情報Ｍの正当性が検証され、不正である場合にはデータ出力制御回路１２に制御信号が出力されて、データの読み出し再生が停止される。
【００７５】
なお、識別情報Ｍが正当なものであっても、上記データＤ１，Ｄ２（Ｄ２はＤ２＋Ｍでもよい）は復調／誤り訂正復号回路１１を介して再生データを出力しているので、再生データからは識別情報Ｍが消失している。したがって、何からの手段でこの再生データをコピーしても、該コピーデータを格納するコピー記録媒体からは、オリジナルデータ９ｂを格納する記録媒体４ｂと異なり識別情報Ｍを抽出できない。
【００７６】
次に、識別情報復号回路１３、特に重畳位置指定回路１５の具体的な動作を説明する。
図６はデータブロック及び識別情報復号回路の動作を説明するための図である。
【００７７】
このデータブロックは、識別情報の重畳位置指定情報と、識別情報の重畳されたデータ本体からなる。また、同図中に示す変換処理は重畳位置指定回路１５が行うものである。
【００７８】
まず始めに、重畳位置指定情報の中から、位置指定に必要な初期値（ｓｅｅｄ）が読み込まれ、重畳位置指定回路１５によりこれを予め定められた変換ｆ（・）によって変換され、初期位置情報ｆ（ｓｅｅｄ）＝（ｘ1 ，ｙ1 ）が得られる。得られた情報は識別情報の重畳位置指定情報を記録している領域内での位置を表している。
【００７９】
次に、重畳位置指定回路１５により、初期位置情報（ｘ1 ，ｙ1 ）で示された位置に記録されているデータｑ1 が選び出され、その情報ｑ1 が予め定められた変換ｇ（・）によって変換され、識別情報の重畳されている位置情報ｇ（ｑ1 ）＝（α1 ，β1 ）を求められる。この求められた位置情報は重畳位置指定回路１５から識別情報抽出回路１６に引き渡され、識別情報抽出回路１６によって、その指定位置に重畳されている部分識別情報Ｍ1 が抽出される。
【００８０】
次に、重畳位置指定回路１５により、上記初期位置情報（ｘ1 ，ｙ1 ）で示された位置に予め決められた距離、または、予め決められた変換によって得られる距離（図６では距離は右隣に１）で隣接する位置に記録されているデータｐ2 を用いて、次の重畳位置指定情報の記録されている位置ｆ（ｐ2 ）＝（ｘ2 ，ｙ2 ）が求められる。
【００８１】
以上の操作を繰り返し（連鎖的に）実行する。つまり、ｆ（ｐｉ）＝（ｘｉ・ｙｉ）によってｉ番目の重畳位置指定情報ｑｉの記録されている位置情報（ｘｉ，ｙｉ）が求められ、その位置に記録されている情報ｑｉを用いて、識別情報の重畳されている位置ｇ（ｑｉ）＝（αｉ，βｉ）が求められる。さらにその位置に重畳されている部分識別情報Ｍｉを抽出することが、全て（ｎ個）の部分識別情報が抽出されるまで連鎖的に繰り返される。
【００８２】
なお、以上の操作において、変換ｆ（・）およびｇ（・）によって既に前に選ばれた位置（ｘｉ，ｙｉ）および（αｉ，βｉ）がそれぞれ求められてしまう場合には、それ以降の操作で毎回同じ値が選ばれてしまうことを避けるため、そのデータの記録されている位置から予め決められた距離で隣接する位置（図６では更に右隣の位置）に記録されているデータが改めて選び直される。
【００８３】
上述したように、本発明の実施の形態に係る記録媒体は、第１の実施形態と同様な構成を有する他、重畳位置指定情報が格納されているので、識別情報の取り出しを容易かつ確実なものとすることができる。
【００８４】
また、部分識別情報の重畳位置は、所定の変換を経て得られるように重畳位置指定情報内に格納されているので、重畳位置の秘匿性を高め、識別情報を安全なものとすることができる。さらに、この重畳位置は、連鎖的に取り出し可能であるので、識別情報の取り出しを容易なものにできる。
【００８５】
また、本実施形態の記録媒体作成装置は、識別情報重畳回路３ｂを設けたので、識別情報の重畳の他、重畳位置指定情報を付加することができ、上記記録媒体４ｂを製造することができる。
【００８６】
さらに、本実施形態のデータ再生装置は、識別情報復号回路１３及び識別情報判定回路１４を設けたので、上記記録媒体４ｂに基づく効果が得られ、さらに、記録媒体に格納されるデータがオリジナルデータか否か、ひいてはオリジナルな記録媒体であるかを判定でき、その判定結果が出力される。この出力された判定結果を利用することで、データ出力制御回路１２による不正コピーの防止をすることができる。
【００８７】
なお、本実施形態では、識別情報判定部１４はセットされたディスクが単に識別情報Ｍを格納するオリジナル記録媒体４ｂであるか否かのみを判断して、データ出力を制御するようにしたが、本発明はオリジナル記録媒体上のコンテンツに対応するデータ自体を以降のコピーディスクと区別できる点に特徴がある。そこで、この機能とＣＧＭＳやＳＣＭＡ等とを適宜組み合わせて、安全性が高くかつより高機能な不正コピー防止システム（多様なデータコピー世代管理）を構築することも可能である。
【００８８】
また、図６に示した処理においては、重畳位置指定情報ｐｉとｑｉの関係を入れ替えて、変換ｆ（・）によってまず最初にｐｉの位置を求めた上で、隣接位置に記録されているデータをｑｉとして変換ｇ（・）によって部分識別情報Ｍｉの重畳位置を求めることも可能である。また例えば部分識別情報Ｍｉの重畳位置のみを先にすべて求めておいて、これをまとめて識別情報抽出回路１６に引き渡し、識別情報抽出回路１６は適宜のタイミングで識別情報Ｍを取り出すようにしてもよい。
【００８９】
（発明の第３の実施の形態）
第２の実施形態では、初期位置情報は（ｘ1 ，ｙ1 ）は、予め定められた位置に記録されているデータを初期値（ｓｅｅｄ）として求められるため、初期値の記録されている位置が比較的推測され易い。本実施形態では、初期位置情報を求める演算を複雑にし、第三者によるその位置の推測をより困難とするものである。
【００９０】
図７は本発明の第３の実施の形態におけるデータブロックの構成及び識別情報復号回路の動作を説明するための図である。
本実施形態は、重畳位置指定回路１６に新たな変換処理が付加される他、第２の実施形態と同様に構成される。すなわち、本実施形態の記録媒体作成装置は、同図に示すデータブロックとなる記録媒体を作成し、データ再生装置は新たな変換処理ｈ（・）を実行可能に構成される。
【００９１】
本実施形態における識別情報の重畳位置取り出し処理について説明する。
付加された変換処理以外の部分について、ディスク製作および記録媒体の再生手順は、第２の実施形態と同様である。
【００９２】
まず始めに、重畳位置指定情報の中から、重畳位置指定回路１６により位置指定に必要な初期値ｓｅｅｄ１が読み込まれ、これが予め定められた変換ｈ（・）によって変換される。こうして本当の位置指定に用いる初期値ｓｅｅｄ２の記録されている位置（ｘs ，ｙs ）が得られる。続いて、ｓｅｅｄ２が変換ｆ（・）によって変換され、初期位置情報ｆ（ｓｅｅｄ２）＝（ｘ1 ，ｙ1 ）が得られる。得られた情報は識別情報重畳位置指定情報を記録している領域内での位置を表している。以降の操作は第２の実施形態と同様である。
【００９３】
上述したように、本発明の実施の形態に係る記録媒体及びデータ再生装置は、第２の実施形態と同様な構成を設けた他、ｓｅｅｄを２段階変換するようにしたので、より一層重畳位置の指定情報の安全性、秘匿性を高めることができる。
【００９４】
（発明の第４の実施の形態）
本実施形態は、第１の実施形態で重畳される識別情報Ｍの記録媒体４における重畳位置を指定するための仕組みについて、第２，第３の実施形態とは異なる方法を説明する。
【００９５】
図８は本発明の第４の実施形態のデータ再生装置の主要構成例を示すブロック図である。
このデータ再生装置は、識別情報復号回路１３ｂに位置情報テーブル２１が設けられ、重畳位置指定回路１５ｂは記録媒体４ｂのみでなく位置情報テーブル２１の情報をも利用して識別情報Ｍの重畳位置を取得するようになっている他、第２の実施形態と同様に構成されている。
【００９６】
位置情報テーブル２１には、重畳位置指定情報であるインデックスＴ1 ，Ｔ2 ，．．，Ｔm に対応して、各部分識別情報Ｍ1 ，Ｍ2 ，．．，Ｍｎの重畳位置の情報が格納されている。
【００９７】
図９は本実施形態の情報格納テーブルの構成及び部分識別情報の重畳位置情報を取得する方法を説明する図である。
このように構成された本実施形態の記録媒体作成装置及びデータ再生装置の動作について説明する。
【００９８】
まずディスク製作および記録媒体の再生手順は、第２の実施形態と同様である。異なる点は、重畳位置指定情報として付加記録されるものが、単なるインデックスＴｉのみであって、各部分識別情報の重畳位置自体でないことである。このインデックスＴ1 ，Ｔ2 ，．．，Ｔm は、複数種類の記録媒体夫々に対応してもよく、また、一つの記録媒体の各データブロックに対応してもよい。
【００９９】
ディスク再生時には、このインデックスＴｉが最初に読み込まれ、重畳位置指定回路１５ｂにおいて、インデックスＴｉに対応する部分識別情報の重畳位置パターンが位置情報テーブル２１選び出される。この重畳位置パターンは重畳位置指定回路１５ｂから識別情報抽出回路１６に引き渡され、識別情報抽出回路１６において、それぞれの位置に重畳されている部分識別情報Ｍｊ（ｊ＝１，２，…，ｎ）が抽出される。
【０１００】
以降の処理は第２の実施形態と同様である。
上述したように、本発明の実施の形態に係る記録媒体においては重畳位置指定情報としてインデックスのみを格納し、データ再生装置においてインデックスに対応するテーブルを設け、インデックスに基づいてそのテーブルから識別情報の重畳位置を取得できるようにしたので、記録媒体に記録されているのがインデックスのみであり、記録媒体を調べただけでは識別情報の重畳位置を容易に知ることができず、識別情報の秘匿性、安全性を一層高めることができる。
【０１０１】
（発明の第５の実施の形態）
第４の実施形態では、重畳位置指定情報としてインデックスＴｉが直接格納されていたが、本実施形態ではこのインデックスＴｉに代えてｓｅｅｄを重畳位置指定情報として格納し、当該ｓｅｅｄに変換してからインデックスＴｉを得るものである。
【０１０２】
図１０は本発明の第５の実施の形態における情報格納テーブルの構成及び部分識別情報の重畳位置情報を取得する方法を説明する図である。
本実施形態のデータ再生装置は、ｓｅｅｄを変換ｆ（・）を施してインデックスＴｉを得る処理が重畳位置指定回路１５ｂに加えられる他、第４の実施形態と同様に構成されている。
【０１０３】
このように構成された本実施形態の記録媒体作成装置及びデータ再生装置の動作について説明する。
まず、記録媒体４ｂ内には、識別情報重畳位置指定情報としてインデックスＴｉに代えて情報ｓｅｅｄが記録されている。ディスク再生時には、この情報ｓｅｅｄが最初に読み込まれ、重畳位置指定回路１５ｂにおいて、予め定められた変換ｆ（・）によって変換した上で情報格納テーブル２１のインデックスＴｉが得られる。
【０１０４】
以降の処理は第４の実施形態と同様である。
上述したように、本発明の実施の形態に係る記録媒体及びデータ再生装置は、第４の実施形態と同様な構成を設けた他、ｓｅｅｄを変換してインデックスを得るようにしたので、より一層重畳位置の指定情報の安全性，秘匿性を高めることができる。
【０１０５】
（発明の第６の実施の形態）
本実施形態は、第２〜第５の実施形態とは異なる方法で不正コピーデータの再生出力を防止する手段について説明する。
【０１０６】
図１１は本発明の第６の実施の形態に係る記録媒体作成装置の主要構成例を示すブロック図であり、図４と同一部分には同一符号を付してその説明を省略する。
【０１０７】
この記録媒体作成装置は、スクランブル回路３０が設けられる他、第２の実施形態と同様に構成されている。
スクランブル回路３０は、ディジタルデータを識別情報Ｍをスクランブルの鍵としてスクランブルし、スクランブルデータ２５を出力し、誤り訂正符号回路２に引き渡すものである。
【０１０８】
一方、図１２は本実施形態のデータ再生装置の主要構成例を示すブロック図であり、図５と同一部分には同一符号を付してその説明を省略する。
このデータ再生装置は、データ出力制御回路１２及び識別情報判定回路１４に代えて、アンスクランブル回路３１が設けられる他、第２の実施形態と同様に構成されている。
【０１０９】
アンスクランブル回路３１は、識別情報復号回路１３から与えられる識別情報Ｍを用いて復調／誤り訂正復号回路１１からのスクランブルデータ２５をアンスクランブルして、再生データとして出力する。
【０１１０】
次に、以上のように構成された本実施形態の記録媒体作成装置及びデータ再生装置の動作について説明する。
図１１に示す記録媒体４ｂの製作においては、スクランブル回路３０による処理を除き、第２の実施形態と同様な処理が行われる。スクランブル回路３０においては、識別情報Ｍを用いて、ディジタルデータ７にスクランブルが掛けられる。
【０１１１】
一方、図１２に示す記録媒体４ｂの再生においては、第２の実施形態と同様にして、識別情報復号回路１３によりまず識別情報Ｍが読み出される。
この読み出された識別情報Ｍはアンスクランブル回路３１に与えられ、この識別情報Ｍが鍵とされて、復調／誤り訂正復号回路１１からのスクランブルデータ２５がアンスクランブルされ再生データとして出力される。
【０１１２】
ここで、再生ディスクがコピーされたディスクであるなどの原因によって、正しい識別情報が復号できなかった場合には、正しくアンスクランブルできず、正しいデータが再生されない。
【０１１３】
上述したように、本発明の実施の形態に係る記録媒体は、第２の実施形態と同様な構成を設けた他、ディジタルデータ７に予め識別情報を鍵としてスクランブルが掛けられているので、データ再生時に識別情報を取り出して、これを鍵としてスクランブルを解除できなければ、正常なデータ再生を行うことができない。こうして、再生対象データに対する不正コピーを防止することができる。
【０１１４】
また、本実施形態の記録媒体作成装置は、第２の実施形態と同様な構成を設けた他、スンランブル回路３０を設けてディジタルデータ７をスクランブルするようにしたので、上記記録媒体を製造することができる。
【０１１５】
さらに、本実施形態のデータ再生装置は、第２の実施形態と同様な構成を設けた他、アンスクランブル回路３１を設けて識別情報によりスクランブルデータをアンスクランブルするようにしたので、ディジタルデータにスクランブルがかけられている場合に、正規のオリジナル記録媒体からデータ再生を行ったときのみ、識別情報によるスクランブルの解除ができる。したがって、不正コピーに対する安全性を高めることができる。
【０１１６】
なお、本実施形態では、ディジタルデータ７に対し識別情報Ｍを鍵としてスクランブルをかける方法を第２の実施形態に適用する場合を説明したが、本実施形態の適用は、この場合に限定されるものでなく、第１，第３〜第５のいずれの実施形態に適用してもよい。
【０１１７】
また、本実施形態ではディジタルデータ７にスクランブルを掛ける場合を説明したが、本発明はこれに限られるものでなく、例えばスクランブルに代えてデータ暗号化をかけるようにしてもよい。この場合、アンスクランブルの代わりにデータ復号化が行われることになり、識別情報Ｍは暗号鍵及び復号鍵になる。
【０１１８】
なお、本発明は、上記各実施の形態に限定されるものてなく、その要旨を逸脱しない範囲で種々に変形することが可能である。
例えば各実施形態でオリジナルデータを格納する位置については特に指定はしないが、そもそもＤＶＤやＣＤには、コンテンツデータの制御情報の記録された領域とコンテンツデータ自身の記録された領域がある。前者の例としてはＣＤの曲番等を記した領域等である。本発明は、識別情報を含むオリジナルデータを上記いずれの領域に格納してもよい。
【０１１９】
また例えば、各実施形態では各手段をハードウェア的に記載しているが、これらはすべてソフトウエア的な手段でも実現できるものである。すなわち実施形態の記録媒体作成装置及びデータ再生装置等は、ＣＰＵやメモリ等の計算機ハードウエア資源を備えたものであり、その制御プログラムによって、実施形態の識別情報重畳回路や識別情報復号回路等の各手段を実現してもよい。
【０１２０】
したがって、実施形態に記載した手法は、計算機（コンピュータ）に実行させることができるプログラム（ソフトウエア手段）として、例えば磁気ディスク（フロッピーディスク、ハードディスク等）、光ディスク（ＣＤ−ＲＯＭ、ＤＶＤ等）、半導体メモリ等の記憶媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含むものである。本装置を実現する計算機は、記憶媒体に記録されたプログラムを読み込み、また場合により設定プログラムによりソフトウエア手段を構築し、このソフトウエア手段によって動作が制御されることにより上述した処理を実行する。
【０１２１】
【発明の効果】
以上詳記したように本発明によれば、誤り訂正符号化された再生対象データに、識別情報を重畳しこれをオリジナルデータとしたので、その記録されたディジタルデータが、オリジナルなデータであるか、コピーされたデータであるかを判定することができ、ひいては不正なデータコピーを防止することができる記録媒体、記録媒体作成装置、データ再生装置及びプログラムを記録したコンピュータ読み取り可能な記録媒体を提供することができる。
【図面の簡単な説明】
【図１】  本発明の第１の実施の形態に係る記録媒体作成装置の主要構成例を示すブロック図。
【図２】  誤り訂正の概略的な考え方を説明する図。
【図３】  誤り訂正処理を利用してオリジナルデータから識別情報Ｍを取り出しつつ、オリジナルデータ自体のコピーを防止する原理を説明する図。
【図４】  本発明の第２の実施の形態に係る記録媒体作成装置の主要構成例を示すブロック図。
【図５】  同実施形態のデータ再生装置の主要構成例を示すブロック図。
【図６】  データブロック及び識別情報復号回路の動作を説明するための図。
【図７】  本発明の第３の実施の形態におけるデータブロックの構成及び識別情報復号回路の動作を説明するための図。
【図８】  本発明の第４の実施形態のデータ再生装置の主要構成例を示すブロック図。
【図９】  同実施形態の情報格納テーブルの構成及び部分識別情報の重畳位置情報を取得する方法を説明する図。
【図１０】  本発明の第５の実施の形態における情報格納テーブルの構成及び部分識別情報の重畳位置情報を取得する方法を説明する図。
【図１１】  本発明の第６の実施の形態に係る記録媒体作成装置の主要構成例を示すブロック図。
【図１２】  同実施形態のデータ再生装置の主要構成例を示すブロック図。
【符号の説明】
１…Ａ／Ｄ変換回路
２…誤り訂正符号回路
３…識別情報重畳回路
４，４ｂ…記録媒体
５…ディジタルコンテンツ
６…アナログコンテンツ
７…ディジタルデータ
８…データ本体
１１…復調／誤り訂正復号回路
１２…データ出力制御回路
１３，１３ｂ…識別情報復号回路
１４…識別情報判定回路
１５，１５ｂ…重畳位置指定回路
１６…識別情報抽出回路
１７…復調／誤り訂正復号回路
２５…スクランブルデータ
３０…スクランブル回路
３１…アンスクランブル回路
Ｍ…識別情報
Ｍ１，Ｍ２，．．，Ｍｉ，．．，Ｍｎ…部分識別情報。
【図１】
0004047480.tif 000002
【図２】
0004047480.tif 000003
【図３】
0004047480.tif 000004
【図４】
0004047480.tif 000005
【図５】
0004047480.tif 000006
【図６】
0004047480.tif 000007
【図７】
0004047480.tif 000008
【図８】
0004047480.tif 000009
【図９】
0004047480.tif 000010
【図１０】
0004047480.tif 000011
【図１１】
0004047480.tif 000012
【図１２】
0004047480.tif 000013